(57)【要約】      （修正有）【課題】部屋の中央に設置すべき展示棚のために、両前面からの垂直支柱への支持部材の取付けを、しかも同じ高さでの取付けを可能にする装置を提供する。【解決手段】垂直支柱１が、互いに交互に配設されたスリット１７とウェブ１８の垂直な係止部を備え、スリット１７とウェブ１８の係止部に、商品の直接的な吊下げ又は２次支持部材の保持をするために設定された１次支持部材２の接続部品２１が取付け可能であり、垂直支柱１のスリット１７とウェブ１８の係止部が、その互いに平行な２つの垂直な列が鏡面対称となるように、中間ウェブ１３に配設されており、スリット１７とウェブ１８の係止部の各列が、支柱の外脚部と内脚部によって区画され、これら両脚部の間に、それぞれ１つの間隙１２が位置し、両間隙１２が、垂直支柱１の前面１９からスリット１７とウェブ１８の両係止部への作業を可能にする。【選択図】図７Ｂ
2009195677.tif 000002
【特許請求の範囲】
【請求項１】
垂直支柱（１）が、互いに交互に配設されたスリット（１７）とウェブ（１８）の垂直な係止部を備え、
ａ）スリット（１７）とウェブ（１８）の係止部に、商品の直接的な吊下げ又は２次支持部材（５）の保持をするために設定された１次支持部材（２）の接続部品（２１）が取付け可能であり、
ｂ）垂直支柱（１）のスリット（１７）とウェブ（１８）の係止部が、その互いに平行な２つの垂直な列が鏡面対称となるように、中間ウェブ（１３）に配設されており、
ｂａ）スリット（１７）とウェブ（１８）の係止部の各列が、外脚部（１０）と内脚部（１６）によって区画され、これら両脚部の間に、それぞれ１つの間隙（１２）が位置し、
ｂｂ）両間隙（１２）が、垂直支柱（１）の前面（１９）からスリット（１７）とウェブ（１８）の両係止部への作業を可能にし、
ｃ）両間隙（１２）とは反対側で中間ウェブ（１３）の後に自由空間（１５）が位置し、
ｄ）１次支持部材（２）が、ｄａ）２列式の接続部品（２１）か、ｄｂ）１列式の接続部品（２１）を有し、
ｄａ）２列式の接続部品（２１）が、少なくともそれぞれ１つのフック機構（２１２）を有する２つの立設部（２１１）を備え、これら立設部が、差し込んだ状態で、同時に、同一の垂直支柱（１）のスリット（１７）とウェブ（１８）の係止部の２つの列のスリット（１７）とその下のウェブ（１８）を使用して自由空間（１５）内に突出し、
ｄｂ）１列式の接続部品（２１）が、少なくとも１つのフック機構（２１２）を有する１つの立設部（２１１）を備え、この接続部品（２１）が１つの２次支持部材（５）と組み合わされ、この２次支持部材が、１列式の同様の接続部品（２１）を同様に有するもう１つの１次支持部材（２）に接続し、両１次支持部材（２）の１列式の各接続部品（２１）の少なくとも１つのフック機構（２１２）が、差し込んだ状態で、それぞれ、垂直支柱（１）のスリット（１７）とウェブ（１８）の係止部のただ１つの列のただ１つのスリット（１７）とその下のウェブ（１８）を使用する、
少なくとも１つの垂直支柱（１）を有する商品展示用の棚において、
２つの外脚部（１０）の延長部と、１つの別の中間ウェブ（１３）と、この中間ウェブに設けられた、互いに平行な２つの垂直な列のスリット（１７）とウェブ（１８）の係止部と、これに付設された内脚部（１６）と、間隙（１２）とを有する第２の前面（１９）が自由空間（１５）を通る横断面に対して鏡面対称となるように、垂直支柱（１）が構成されており、これにより、１次支持部材（２）が、その接続部品（２１）によって、同じ高さで同一の垂直支柱（１）の両前面（１９）に取付け可能であることを特徴とする棚。
【請求項２】
ａ）スリット（１７）とウェブ（１８）の各列を区画するために、垂直支柱（１）に、それぞれ１つの独立した内脚部（１６）が存在し、
ｂ）各前面（１９）の両内脚部（１６）が、共に、
ｂａ）当該前面（１９）に向かって開放した第１のネジ通路（１１）と、
ｂｂ）垂直支柱（１）の長手方向に存在する両端に向かって開放した、中間ウェブ（１３）の中心を中断する第２のネジ通路（１４）と
を構成することを特徴とする請求項１に記載の棚。
【請求項３】
ａ）１次支持部材（２）の各接続部品（２１）の各立設部（２１１）が、立設部（２１１）の前縁（２１４）から突出する、上下に位置決めされた２つのフック機構（２１２）を備え、
ｂ）個々のフック機構（２１２）が、前縁（２１４）の前方に位置し、下から斜めに上昇するように立設部（２１１）内に入る鎌状の切込み（２１３）を包囲し、
ｃ）第１のフック機構（２１２）が、それぞれ当該立設部（２１１）の上端に存在し、第２のフック機構（２１２）が、同じ立設部（２１１）の下端近傍に位置決めされている
ことを特徴とする請求項１又は２に記載の棚。
【請求項４】
ａ）１次支持部材の２列式の接続部品（２１）が、垂直に立ったＵ字形の基本形状を有し、
ｂ）２つの立設部（２１１）が、互いに平行に間隔を置いて配設され、腕木部材（２０）をその第２の端部（２０２）により取付け可能な中心のベース面（２１０）によって橋渡しされ、
ｃ）腕木部材（２０）が、商品の直接的な吊下げ、又は、商品の吊下げ又は載置のために使用される２次支持部材（５）の保持のために利用可能であり、
ｄ）２次支持部材（５）が、別の垂直支柱（１）に取り付けられた、２列式の接続部品（２１）を有する別の１次支持部材（２）によって保持可能である
ことを特徴とする請求項１〜３のいずれか１つに記載の棚。
【請求項５】
ａ）第１の１次支持部材（２）の１列式の接続部品（２１）が、腕木部材（２０）の第２の端部（２０２）を移行部なしで一体的に取り付ける立設部（２１１）を有し、
ｂ）腕木部材（２０）の第１の端部（２０１）が、第２の１次支持部材（２）に橋渡しし、その腕木部材（２０）の第１の端部（２０１）と結合された横棒の形態の２次支持部材（５）と結合されており、この腕木部材（２０）の第２の端部（２０２）が、更にまた接続部品（２１）の立設部（２１１）に移行し、
ｃ）両１次支持部材（２）が、２次支持部材（５）と共に１つのＵ字形のフレームを構成し、
ｃａ）２次支持部材（５）が、商品の直接的な吊下げのために利用可能であるか、フレームが、商品を載置するために使用される別の２次支持部材（５）を保持するために利用可能であり、
ｃｂ）第１の１次支持部材（２）の接続部品（２１）が、第１の垂直支柱（１）に取付け可能であり、第２の１次支持部材（２）が、次の垂直支柱（１）に取付け可能である
ことを特徴とする請求項１〜３のいずれか１つに記載の棚。
【請求項６】
ａ）垂直支柱（１）が、その下端により、床に支持される足（４１）、又は、床に載る足（４１）を備えた第２又は第３の棚要素（３２，３３）に取り付けられており、
ｂ）垂直支柱（１）が、その上端に、天井用ホルダ（４２）又はカバー（４５）又は次の垂直支柱（１）への橋渡しである第４の棚要素（３４）を備えており、
ｃ）棚が、天井用ホルダ（４２）又は支持構造（９）に固定される壁用ホルダ（４３）によって固定されるように形成されているか、
ｄ）棚が、第２又は第３の棚要素（３２，３３）上に可動に載るように形成されており、
ｅ）棚内に取り付けられた複数の垂直支柱（１）の間に、安定化と同時に取付け間隔決めのために、互いに向かい合う外脚部（１０）に固定可能な第１の棚要素（３１）が取り付けられている
ことを特徴とする請求項１〜５のいずれか１つに記載の棚。
【請求項７】
第２のネジ通路（１４）が、垂直支柱（１）の下端への足（４１）の固定と垂直支柱（１）の上端へのカバー（４５）の固定のために利用されることを特徴とする請求項６に記載の棚。
【請求項８】
２つの垂直支柱（１）の間に、それぞれ両垂直支柱（１）の上端の互いに向かい合う外脚部（１０）のそれぞれの自由空間（１５）の領域に取り付けられるホルダ（４４）によって固定されるスクリーン（６）が嵌込み可能であることを特徴とする請求項１〜７のいずれか１つに記載の棚。
【請求項９】
ａ）取外し可能に前面（１９）に取り付けるためにＵ字形の成形カバー（７）が設けられており、この成形カバーが、両内脚部（１６）を包囲して、第１のネジ通路（１１）に蓋をし、
ｂ）このため、成形カバー（７）に係止エッジが設けられ、垂直支柱（１）に、この係止エッジと相補的な相手輪郭が設けられている
ことを特徴とする請求項１〜８のいずれか１つに記載の棚。
【請求項１０】
ａ）自由空間（１５）のために、使用していない互いに一致するスリット（１７）を通る通過光を防止する充填材（８）が設けられており、
ｂ）充填材（８）が、自由空間（１５）内に挿入可能な、スリット（１７）を通って入る、取り付けられる１次支持部材（１）のフック機構（２１２）を抵抗を感じさせずに弾性的に撓ませる発泡材から成る棒であり、
ｃ）垂直支柱（１）が、アルミニウムストランドプレス成形品として製造されている
ことを特徴とする請求項１〜９のいずれか１つに記載の棚。
【発明の詳細な説明】
【技術分野】
【０００１】
本発明は、そのスリット状係止部に支持部材を取付け可能な、少なくとも１つの垂直支柱を有する商品展示用の棚に関する。支持部材には、商品が下げ可能であり、支持部材の腕木部材により、棚板又は横棒のような２次支持部材が支持可能である。
【背景技術】
【０００２】
特許文献１、特許文献２及び特許文献３から、展示用の棚を構成するための、支持部材を取付け可能なスリット状係止部を有する成形された垂直支柱が公知である。この構成は、１列式の接続部品を有する取付け式のワンアームの支持部材の横方向の安定性の課題を解決するが、未だ完全に最適なものではない。成形品のスリット状係止部もしくはスリット係止部に通じる間隙を、取り付けるべき支持部材に配設された接続部品の材料の厚さと比較して著しく狭くした場合、確かに遊びが小さくなり、これにより取り付けられる支持部材の横方向の安定性が改善されるが、他方で、取付け及び取外しは、引っ掛かりが生じることによりスムーズにならない。
【０００３】
最後に、特許文献４には、スリットの係止部を備える垂直支柱に基づいた展示装置が開示されているが、スリットは、互いに平行な２つの垂直な列内に鏡面対称に配設され、スリットの係止部の各列が内脚部によって区画されている。支持部材は、差し込んだ状態で同一の垂直支柱の両方の列のスリットを同時に使用する２列式の接続部品を有する。選択的に、支持部材は、差し込んだ状態でそれぞれ隣接する２つの垂直支柱のスリットの１つの列しか使用しないそれぞれ１つの、１列式の接続部品を有するツーアームに形成されている。前記垂直支柱は、棚の一方の側からの支持部材の取付けしか可能にしない。
【特許文献１】独国実用新案第２０１  ００  １８１号明細書
【特許文献２】独国実用新案第２０３  １４  ２６０号明細書
【特許文献３】独国実用新案第２０  ２００４  ００２  ７０１号明細書
【特許文献４】独国実用新案第２０  ２００６  ０１２  ６７０号明細書
【特許文献５】国際公開第２００６／０８６９１０号パンフレット
【発明の開示】
【発明が解決しようとする課題】
【０００４】
本発明の根本にある課題は、部屋の中央に設置すべき展示棚のために、両前面からの垂直支柱への支持部材の取付けを、しかも同じ高さでの取付けを可能にする装置を提供することにある。この場合、取り付けられる支持部材に、特にワンアームの支持部材に、高い横方向の安定性を保証すべきである。垂直支柱への取付け及び取外しの際の取扱いは、引っ掛かりのために複雑にならず、即ち、できるだけ有効なスムーズさで実施可能でなければならない。複数の垂直支柱を有する棚に、いわば中断のない並びでの支持部材の備えを実現する、即ち、同じ垂直支柱に、同じ高さで、隣接する支持部材の接続部品を取り付けなければならない、というオプションも、与えられるべきである。
【課題を解決するための手段】
【０００５】
商品展示用の棚は、互いに交互に配設されたスリットとウェブの垂直な係止部を備える少なくとも１つの垂直支柱を有する。スリットとウェブの係止部に、商品の直接的な吊り下げ又は２次支持部材の保持をするために設定された１次支持部材の接続部品が取付け可能である。垂直支柱のスリットとウェブの係止部は、その互いに平行な２つの垂直な列が鏡面対象となるように、中間ウェブに配設されている。スリットとウェブの係止部の各列は、外脚部と内脚部によって区画され、これら両脚部の間に、それぞれ１つの間隙が位置する。両間隙は、垂直支柱の前面からスリットとウェブの両係止部への作業を可能にする。両間隙とは反対側で中間ウェブの後に自由空間が位置する。
【０００６】
１次支持部材は、一実施例では、２列式の接続部品を有し、この２列式の接続部品が、少なくともそれぞれ１つのフック機構を有する２つの立設部を備え、これら立設部が、差し込んだ状態で、同時に、同一の垂直支柱のスリットとウェブの係止部の２つの列のスリットとその下のウェブを使用して自由空間内に突出する。選択的に、１次支持部材は、１列式の接続部品を有し、この１列式の接続部品が、少なくとも１つのフック機構を有する１つの立設部を備え、この接続部品が１つの２次支持部材と組み合わされ、この２次支持部材が、１列式の同様の接続部品を同様に有するもう１つの１次支持部材に接続し、両１次支持部材の１列式の各接続部品の少なくとも１つのフック機構が、差し込んだ状態で、それぞれ、垂直支柱のスリットとウェブの係止部のただ１つの列のただ１つのスリットとその下のウェブを使用する。
【０００７】
２つの外脚部の延長部と、１つの別の中間ウェブと、この中間ウェブに設けられた、互いに平行な２つの垂直な列のスリットとウェブの係止部と、これに付設された内脚部と、間隙とを有する第２の前面が自由空間を通る横断面に対して鏡面対称となるように、垂直支柱は構成されている。従って、１次支持部材は、その接続部品によって、同じ高さで同一の垂直支柱の両前面に取付け可能である。
【０００８】
これ以降、本発明の特別な実施形が定義される：スリットとウェブの各列を区画するために、垂直支柱に、それぞれ１つの独立した内脚部が存在する。各前面の両内脚部は、共に、
ａ）当該前面に向かって開放した第１のネジ通路と、
ｂ）垂直支柱の長手方向に存在する両端に向かって開放した、中間ウェブの中心を中断する第２のネジ通路と
を構成する。
【０００９】
１次支持部材の各接続部品の各立設部は、立設部の前縁から突出する、上下に位置決めされた２つのフック機構を備える。個々のフック機構は、前縁の前方に位置し、下から斜めに上昇するように立設部内に入る鎌状の切込みを包囲する。第１のフック機構は、それぞれ当該立設部の上端に存在し、第２のフック機構は、同じ立設部の下端近傍に位置決めされている。
【００１０】
１次支持部材の２列式の接続部品は、垂直に立ったＵ字形の基本形状を有する。２つの立設部は、互いに平行に間隔を置いて配設され、腕木部材をその第２の端部により取付け可能な中心のベース面によって橋渡しされる。腕木部材は、商品の直接的な吊下げ、又は、商品の吊下げ又は載置のために使用される２次支持部材の保持のために利用可能である。２次支持部材は、別の垂直支柱に取り付けられた、２列式の接続部品を有する別の１次支持部材によって保持可能である。
【００１１】
第１の１次支持部材の１列式の接続部品は、腕木部材の第２の端部を移行部なしで一体的に取り付ける立設部を有する。腕木部材の第１の端部は、第２の１次支持部材に橋渡しし、その腕木部材の第１の端部と結合された横棒の形態の２次支持部材と結合されており、この腕木部材の第２の端部は、更にまた接続部品の立設部に移行する。両１次支持部材は、２次支持部材と共に１つのＵ字形のフレームを構成する。２次支持部材が、商品の直接的な吊下げのために利用可能であるか、フレームが、商品を載置するために使用される別の２次支持部材を保持するために利用可能である。第１の１次支持部材の接続部品は、第１の垂直支柱に取付け可能であり、第２の１次支持部材は、次の垂直支柱に取付け可能である。
【００１２】
垂直支柱は、その下端により、床に支持される足、又は、床に載る足を備えた第２又は第３の棚要素に取り付けられている。垂直支柱は、その上端に、天井用ホルダ又はカバー又は次の垂直支柱への橋渡しである第４の棚要素を備えている。棚は、天井用ホルダ又は支持構造に固定される壁用ホルダによって固定されるように形成されているか、棚は、第２又は第３の棚要素上に可動に載るように形成されている。棚内に取り付けられた複数の垂直支柱の間に、安定化と同時に取付け間隔決めのために、互いに向かい合う外脚部に固定可能な第１の棚要素が取り付けられている。第２のネジ通路は、垂直支柱の下端への足の固定と垂直支柱の上端へのカバーの固定のために利用される。
【００１３】
２つの垂直支柱の間に、それぞれ両垂直支柱の上端の互いに向かい合う外脚部のそれぞれの自由空間の領域に取り付けられるホルダによって固定されるスクリーンが嵌込み可能である。取外し可能に前面に取り付けるためにＵ字形の成形カバーが設けられており、この成形カバーが、両内脚部を包囲して、第１のネジ通路に蓋をする。このため、成形カバーに係止エッジが設けられ、垂直支柱に、この係止エッジと相補的な相手輪郭が設けられている。自由空間のために、使用していない互いに一致するスリットを通る通過光を防止する充填材が設けられている。充填材は、自由空間内に挿入可能な、スリットを通って入る、取り付けられる１次支持部材のフック機構を抵抗を感じさせずに弾性的に撓ませる発泡材から成る棒である。垂直支柱は、アルミニウムストランドプレス成形品として製造されている。
【発明を実施するための最良の形態】
【００１４】
添付図に関連させて、種々に構成した本発明による商品展示用の棚の実施例の詳細な説明を以下で行なう。
【００１５】
その他の全ての説明のために、以下の規定を適用する。１つの図で、図を明確にするために符号が含まれているが、直属の説明文で説明されていない場合、その説明は、先行又は後続の図の説明を参照されたい。部品の「再出」が図面から一義的に認められる場合には、明確化のために、大抵は、その他の図での部品の繰返しの標示を省略する。
【００１６】
図１Ａ、２Ａ及び２Ｂに関して：
図示した固定式の展示棚は、本質的に、それぞれ足４１で床に支持され、裏側が壁用ホルダ４３によって支持構造９−ここでは後壁−に固定された、係止部寸法内で間隔を置いて一平面内に立つ複数の垂直支柱１から成る。床の近くでは、第１の棚要素３１から成るそれぞれ１つのフレームが、隣接する２つの垂直支柱１の互いに向かい合う内面の間に取り付けられている。これにより、棚全体が互いに結合され、安定性を得て、係止部寸法が得られる。垂直支柱１の前面から、選択した高さで、商品の直接的な吊下げのために設定された正面から室内に突出するアームを構成する１次支持部材２が取付け可能である。１次支持部材２の別の基本形状は、隣接する垂直支柱１に橋渡しをする場合に得られ、この場合、横に構成されるこの１次支持部材２が、同様に商品の直接的な吊下げのために使用可能であるか、商品を吊下げ可能な２次支持部材５を収容する。別の形成では、隣接する垂直支柱１内に取り付けられた１次支持部材２が、その上に取り付けられる、商品を直接的に載せる棚板の形態の２次支持部材５を支持するために使用される。選択的に、２つの１次支持部材２が、正面側に、棒状の２次支持部材５と固定結合されるので、いわゆる既製服用フレームが生じる。これら１次及び２次支持部材２，５により、形成上の要求に応じて、種々の複雑な棚構成が達成可能である。展示棚の高さやこれに取り付けられる垂直支柱１の数が、それぞれの使用場所及び使用目的に応じて決まることが理解できる。
【００１７】
図１Ｂに関して：
この適用の場合、裏側の支持構造９に壁用ホルダ４３により固定する代わりに、ここでは例えば更にまた３つの垂直支柱１を有する固定式の展示棚の、天井の形態の支持構造９への固定が行われる。このため、垂直支柱１の上面にそれぞれ天井用ホルダ４２が取り付けられている。足４１と天井用ホルダ４２は、部屋の不平面度を補償するために、通常はその高さが調整可能である。
【００１８】
図１Ｃ、２Ｃ及び２Ｄに関して：
これらの図は、係止部寸法内で互いに間隔を置いて成形台の形態の第２の棚要素３２に垂直に取り付けられた垂直支柱１を使用した可動式の展示棚の構成を示す。第２の棚要素３２には、腕木部材の形態の第３の棚要素３３が配設されており、これら第３の棚要素は、その端部に足４１を備え、展示棚全体を床に支持する。このような成形台とその上に位置決めされる垂直支柱１の固定の原理と足用腕木部材は、特許文献５に開示されている。垂直支柱１の上面に、展示棚は、安定性と閉じた外見のために寄与する第４の棚要素３４によって橋渡し可能である。
【００１９】
前出の図の固定式の展示棚と同様に、可動式の棚も１次及び２次支持部材２，５を装備可能である。両側からの棚の作業において、両側から１次及び２次支持部材２，５の装備を行なうという可能性が利用される。この場合、この構成は、両側を同じ又は異なるようにすることができる。長い棒又は棚板状の２次支持部材５の要求において、３つ全ての１次支持部材２を橋渡す２次支持部材５を横棒又は棚板として支持するために、それぞれ１つの１次支持部材２が、同じ高さで、並立する３つの垂直支柱１に取り付けられている。補足すれば、展示棚は、第４の棚要素３４に差し込まれるポスター用ホルダの形態の第５の棚要素３５を備えることができる。
【００２０】
図２Ｅ及び２Ｆに関して：
この構成の場合、可動式の展示棚は、その端部に足４１を備え、展示棚全体を床に支持する腕木部材の形態の第３の棚要素３３に取り付けられた垂直に並立する２つの垂直支柱１を備える。垂直支柱１の間の間隔である係止部寸法は、更にまた、第１の棚要素３１から成るフレームによって得られる。このフレームの上で、隣接する２つの垂直支柱１の互いに向かい合う内面の間に、スクリーン６が取り付けられている。スクリーン６は、カモフラージュ、鏡又は装飾面として提供可能である。垂直支柱１の内面にスクリーン６を固定するために、クランプ状のスクリーン用ホルダ４４が設けられており、このスクリーン用ホルダは、垂直支柱１の上端の向かい合う外脚部１０の自由空間１５の領域に取付け可能である。上に向かって開放した垂直支柱１は、プレート状のカバー４５によって閉鎖可能である。
【００２１】
図３Ａ〜３Ｄに関して：
垂直支柱１は、横断面が基本的に長方形の、何重にも分岐した、２つの外脚部１０を有する成形品であり、これら外脚部が垂直支柱１の側面を構成し、これら側面が、残りの内部構造を包囲し、外脚部１０の間に位置する２つの前面１９を生じさせる。外脚部１００の外側には、それぞれ１つの中心の垂直なノッチライン１００が、例えばフレームとなるように組み立てられた第１の棚要素３１のための、ネジ継手を取り付けるためのマーキングとして通っている。中心部には、横断面がほぼ長方形の自由空間１５が位置し、この自由空間は、両外脚部１００のそれぞれ１つの中心部と、外脚部１０の間を横に延在するそれぞれ１つの中間ウェブ１３によって包囲される。各中間ウェブ１３の途中に、第２のネジ通路１４が配設されており、この第２のネジ通路は、足４１及びカバー４５を固定するための垂直なねじ込み部のために利用可能である。第２のネジ通路１４は、中間ウェブ１３を２分割する。互いに向かい合うスリットにより、第２のネジ通路１４は、自由空間１５に向かって部分的に開放している。各ネジ通路１４から、２つの内脚部１６が付属する前面１９に向かって延在する。各内脚部１６とそれぞれ隣接する外脚部１０の間に、隣接する前面１９に向かって開放する間隙１２が位置する。それぞれ対を構成する内脚部１６は、付属する前面１９に向かって開放する第１のネジ通路１１を包囲する。付設された第２のネジ通路１４のそれぞれ両側にある中間ウェブ１３内に、一貫したスリット１７の係止部が設けられている。垂直方向に、スリット１７は縦長に形成されており、中間ウェブ１３の材料を残したウェブ１８が交互に隣接する。スリット１７とウェブ１８の係止部は、付設された第２のネジ通路１４の両側で対象であり、その上、他方の中間ウェブ１３の寸法と同一である。
【００２２】
図４Ａ及び４Ｂに関して：
足４１は、複数の部分から成り、ネジによって、垂直支柱１の下端の第２のネジ通路１４に固定可能であり、垂直支柱１の上端には、第２のネジ通路１４に係合するネジによって同様にカバー４５が固定される。機能にとって重要ではないが、美的理由から、２つのＵ時形の成形カバー７が設けられており、これら成形カバーは、それぞれの前面１９から両内脚部１６を介して係止可能であり、従って、その間に位置する第１のネジ通路１１を覆う。同様に外観上の理由から、棒状の充填材８が設けられており、この充填材が、自由空間１５内に挿入可能であり、従って、使用してない互いに一致するスリット１７を通る通過光を防止する。充填材は、例えば暗色の発泡材から成る。成形カバー７が係止された状態で、前面１９には、隣接する２つの間隙１２しか開放されていない。
【００２３】
図５Ａ〜５Ｄに関して：
１次支持部材２は、本質的に腕木部材２０とその第２の端部２０２に配設されたＵ字形の２列式の接続部品２１から成る。腕木部材２０の第１の端部２０１には、２次支持部材５として横棒が取り付けられているので、Ｔ字形アームが得られる。垂直に立った接続部品２１は、第２の端部２０２に接続される、中心に配設されたベース面２１０と、その間にスペース２１５を有する、ベース面２１０の両側を折り曲げた立設部２１１とを有する。両立設部２１１は、それぞれの前縁２１４にまで延在するが、前方に向かって全部で４つの半円形のフック機構２１２から突出し、これらフック機構は、同じ立設部２１１に対をなすように上下に配設され、両立設部２１１に対をなすように並んでいる。個々のフック機構２１２は、鎌状の切込み２１３を包囲し、この切込みは、前縁２１４の前方に位置し、下から斜めに上昇するように立設部２１１内に入る。第１のフック機構２１２は、それぞれ当該立設部２１１の上端に存在し、同じ立設部２１１の第２のフック機構２１２は、その下端近傍に存在する。
【００２４】
図５Ｅに関して：
腕木部材２０を有する２つの１次支持部材２は、その第１の端部２０１を、２次支持部材５を構成する横棒によって不動に橋渡しされており、並立配置された２つの垂直支柱１に同時に取り付けられたＵ字形のフレームが生じる。２次支持部材５は、基本的に、いわゆる袖見せ展示の形で上着を吊り下げるために利用可能である。腕木部材２０は、平坦な材料から成り、補強したり、場合によっては棚板を載せたりするために上部折曲げ部２０３を備える。各腕木部材２０の第２の端部２０２には、１列式の接続部品２１が取り付けられており、その立設部２１１には、前縁２１４から突出し、上下に位置決めされた、２列式の接続部品２１と同様の状態の切込み２１３を有する一対のフック機構２１２が存在する。１列式の接続部品２１は、前面１９の一方の選択した高さの間隙１２の一方を使用した垂直支柱１への１次支持部材２の取付けと、同じ前面１９の同じ高さの、未だ自由な隣接する間隙１２への別の１次支持部材２の１列式の第２の接続部品２１の取付けを可能にする。従って、このようなフレームを、少なくとも３つの垂直支柱１を有する展示棚に緊密に並べて取り付けて、隣接するフレームの一緒になった１列式の取付け部品２１を並べて１つの垂直支柱１に掛けることが可能である。
【００２５】
図６〜９に関して：
２列式の接続部品２１を有する１次支持部材２を目論見通りに取り付ける場合、その４つのフック機構２１２が、選択した前面１９の所定の高さの垂直支柱１の２つの間隙１２に向きを合わせられる（図６参照）。
【００２６】
１次支持部材２の取付けを更に進めた場合、両立設部２１１が、基本的に隣接する２つの間隙１２内に入り込み、４つのフック機構２１２が、場合によっては高さ合わせの操作をした後、対応するスリット１７への道を発見する。Ｕ字形の２列式の接続部品２１は、挿入された成形カバー７を包囲する（図７Ａ、７Ｂ参照）。最大深さまで接続部品２１の垂直支柱１への挿入を更に進めることにより、フック機構２１２は、完全にスリット１７を通過し、自由空間１５内に突出する。この場合、前縁２１４は、付属の中間ウェブ１３に当接し、切込み２１３が、それぞれその下にあるウェブ１８の上に位置するようになる（図８Ａ，８Ｂ参照）。垂直支柱１と接続部品２１は、両前面１９から同じ高さで１次支持部材２が取付け可能であり、この場合、自由空間１５内で向かい合うフック機構２１２が互いに干渉しないように寸法設定されている。
【００２７】
１次支持部材１を完全に取り付けるためには、もはや極僅か下げることしか必要がないので、これまでウェブ１８のところで待機していた切込み２１３が、ウェブ１８の上に移動し、ウェブ１８が、安定のために有利なことに斜めに延在する切込み２１３内に食い込む（図９参照）。取り付けた１次支持部材２の垂直支柱１からの取外しは、ウェブ１８と切込み２１３の係合を外すために、１次支持部材２を持ち上げることから始めることによって、逆の手順で行なわれる。これにより、１次支持部材２が水平に引抜き可能である。
【図面の簡単な説明】
【００２８】
【図１Ａ】支持部材を装備してない、複数の垂直支柱と壁に取り付けるための棚要素から成る固定式の展示棚を上から見た斜視前面図で示す。
【図１Ｂ】支持部材を装備してない、天井に取り付けるための図１Ａの展示棚を上から見た斜視全面図で示す。
【図１Ｃ】支持部材を装備してない、複数の垂直支柱と棚要素から成る可動式の展示棚を上から見た斜視前面図で示す。
【図２Ａ】種々の支持部材を装備した図１Ａの展示棚を上から見た斜視前面図で示す。
【図２Ｂ】図２Ａの構成を下から見た斜視前面図で示す。
【図２Ｃ】種々の支持部材を装備した図１Ｃの展示棚を上から見た斜視前面図で示す。
【図２Ｄ】図２Ｃの構成を下から見た斜視前面図で示す。
【図２Ｅ】支持部材を装備してない、２つの垂直支柱と、その間に位置するスクリーンと、棚要素を有する可動式の展示棚を上から見た斜視前面図で示す。
【図２Ｆ】カバーを垂直支柱から持ち上げた図２ＥのＸ１の部分の拡大詳細図を示す。
【図３Ａ】図１Ａの垂直支柱を上から見た斜視前面図で示す。
【図３Ｂ】図３Ａの切断線Ａ−Ａで切った垂直断面図を示す。
【図３Ｃ】図３Ａの切断線Ｂ−Ｂで切った垂直断面図を示す。
【図３Ｄ】図３Ａの切断線Ｃ−Ｃで切った水平断面図を示す。
【図４Ａ】足、カバー、成形カバー及び充填材と共に図１Ａの垂直支柱を斜視分解図で示す。
【図４Ｂ】組立て状態の図４Ａの構成を斜視図で示す。
【図５Ａ】組み立てることによりＴ字形アームとした１次支持部材と２次支持部材を上から見た斜視前面図で示す。
【図５Ｂ】図５Ａの構成を下から見た斜視前面図で示す。
【図５Ｃ】図５Ａの構成を側面図で示す。
【図５Ｄ】図５ＣのＸ２の部分の拡大詳細図を示す。
【図５Ｅ】組み立てることによりフレームとした２つの１次支持部材と１つの２次支持部材を上から見た斜視前面図で示す。
【図６】１次支持部材を近づけた図１Ａの垂直支柱を斜視図で示す。
【図７Ａ】１次支持部材の２列式の接続部品を部分的に垂直支柱に取り付けた図６の構成を斜視図で示す。
【図７Ｂ】図７Ａの状況を、垂直支柱を図３Ａの切断線Ｂ−Ｂで切った垂直断面図で示す。
【図８Ａ】１次支持部材の接続部品を深く垂直支柱に取り付けた図７Ａの構成を斜視図で示す。
【図８Ｂ】図８Ａの状況を、垂直支柱を図３Ａの切断線Ｂ−Ｂで切った垂直断面図で示す。
【図９】１次支持部材の接続部品を完全に垂直支柱に取り付けた図８Ｂの構成を斜視図で示す。
【符号の説明】
【００２９】
１        垂直支柱
２        １次支持部材
５        ２次支持部材
６        スクリーン
８        充填材
９        支持構造
１０      外脚部
１１      第１のネジ通路
１２      間隙
１３      中間ウェブ
１４      第２のネジ通路
１５      自由空間
１６      内脚部
１７      スリット
１８      ウェブ
１９      前面
２０      腕木部材
２１      接続部品
３１      第１の棚要素
３２      第２の棚要素
３３      第３の棚要素
３４      第４の棚要素
３５      第５の棚要素
４１      足
４２      天井用ホルダ
４３      壁用ホルダ
４４      スクリーン用ホルダ
４５      カバー
１００    ノッチライン
２０１    腕木部材の第１の端部
２０２    腕木部材の第２の端部
２０３    上部折曲げ部
２１０    ベース面
２１１    立設部
２１２    フック機構
２１３    切込み
２１４    前縁
２１５    スペース
【図１Ａ】
2009195677.tif 000003
【図１Ｂ】
2009195677.tif 000004
【図１Ｃ】
2009195677.tif 000005
【図２Ａ】
2009195677.tif 000006
【図２Ｂ】
2009195677.tif 000007
【図２Ｃ】
2009195677.tif 000008
【図２Ｄ】
2009195677.tif 000009
【図２Ｅ】
2009195677.tif 000010
【図２Ｆ】
2009195677.tif 000011
【図３Ａ】
2009195677.tif 000012
【図３Ｂ】
2009195677.tif 000013
【図３Ｃ】
2009195677.tif 000014
【図３Ｄ】
2009195677.tif 000015
【図４Ａ】
2009195677.tif 000016
【図４Ｂ】
2009195677.tif 000017
【図５Ａ】
2009195677.tif 000018
【図５Ｂ】
2009195677.tif 000019
【図５Ｃ】
2009195677.tif 000020
【図５Ｄ】
2009195677.tif 000021
【図５Ｅ】
2009195677.tif 000022
【図６】
2009195677.tif 000023
【図７Ａ】
2009195677.tif 000024
【図７Ｂ】
2009195677.tif 000025
【図８Ａ】
2009195677.tif 000026
【図８Ｂ】
2009195677.tif 000027
【図９】
2009195677.tif 000028